(57)【要約】【課題】可動体に搭載された電気的機器に接続されたフラットケーブルを狭小空間において湾曲させる必要がある場合でも、そのばたつきを防止すると共に電気的機器に対する接続部分へのストレスを軽減し、さらに疲労断線を起こすことがないようにフラットケーブルを押える構成を設けた遊技機を提供する。【解決手段】遊技機１０において、電気的機器７２を搭載した可動体７０と、これと相対移動するドライバ９０と、電気的機器に一端８１が接続されドライバに他端８３が接続されるフラットケーブル８０と、可動体に設けられてフラットケーブルの途中部分が挿通されるケーブル押え部１００と、ケーブル押え部を構成してフラットケーブルの板面に臨むように配置されて可動体が往復動する際にフラットケーブルが押し付けられると弾性変形する弾性部材１０１，１０２とを有する。【選択図】図４
2010187992.tif 000002
【特許請求の範囲】
【請求項１】
遊技の演出に用いられ、遊技機本体上において少なくとも一軸方向に往復動駆動される、電気的機器を搭載した可動体と、
前記遊技機本体において、往復動する前記可動体と相対移動する部位に配設され、前記電気的機器を駆動するドライバと、
前記電気的機器に一端が接続されると共に他端が前記ドライバに接続され、該ドライバから前記電気的機器へ制御信号及び／又は電源の供給を行うフラットケーブルと、
前記可動体に設けられ、前記フラットケーブルの途中部分が挿通されるケーブル押え部と、
該ケーブル押え部を構成し、前記フラットケーブルの板面に臨むように配置されており、前記可動体が往復動する際に前記フラットケーブルが押し付けられると弾性変形する弾性部材と、
を有することを特徴とする遊技機。
【請求項２】
前記弾性部材は片持ちの弾性片からなり、かつ、前記弾性部材は、先端部が向き合うように配置された一対を備えていることを特徴とする請求項１に記載の遊技機。
【請求項３】
前記ケーブル押え部は、該ケーブル押え部における前記フラットケーブルの挿通方向が、前記電気的機器から前記ケーブル押え部へと向かう前記フラットケーブルの延在方向と異なるように構成され、
前記フラットケーブルは前記ケーブル押え部の挿通前後の部分で湾曲形状をなしており、
前記可動体には、前記フラットケーブルの前記湾曲の内側に位置すると共に、前記フラットケーブルにおいて前記電気的機器から前記ケーブル押え部に至る前の部分の板面に臨むようにして、第２の弾性部材が設けられていることを特徴とする請求項１又は２に記載の遊技機。
【発明の詳細な説明】
【技術分野】
【０００１】
本発明は遊技機に関し、特に、可動体に搭載された電気的機器に制御信号の送信や電源の供給を行うためのフラットケーブルを有するパチンコ遊技機等の遊技機に関するものである。
【背景技術】
【０００２】
従来、遊技機の演出に応じて可動する役物（可動演出役物）のような、所定範囲で可動すると共に、ランプやアクチュエータ等の電気的機器を搭載して当該電気的機器の電源や制御装置（以下、電源及び制御装置の双方若しくは何れか一方、又は電気的機器とこれらを中継する機器をドライバと称することとする。）を別体に設けている可動体に対しては、フラットケーブルのような多数の電気信号を送信可能かつ湾曲可能な電線で、電気的機器とドライバとが接続されていることが多い。このようなフラットケーブルを固定しないでおくと、可動体の動きによって、フラットケーブルがばたついたり可動体に搭載された電気的機器の接続部分へストレスが掛かったりすることがあった。そのため、電気的機器の接続部分へのストレスを軽減するべく、フラットケーブルを一旦固定し、その先で電気的機器に接続するような構成が提案されている（例えば、特許文献１の図７参照）。
【０００３】
また、湾曲可能に形成されたフラットケーブルであっても、可動体の度重なる可動によって、湾曲させたり延ばしたりすることを繰り返すことや、撓みを生じさせたり該撓みを解消させたりすることを繰り返すことで、フラットケーブルに繰り返し曲げ応力が加えられると、曲げ部分の端部等で疲労断線を起こすことがあった。特に、前記した特許文献１の図７に示すような、フラットケーブルを固定した構成であると、当該固定箇所周辺に曲げ応力が過大に掛かり、疲労断線を起こし易くなるという問題が生じていた。
【０００４】
このような問題を解消するために、フラットケーブルの湾曲する箇所に金属製や合成樹脂製の薄板からなる弾性体を沿わせ、フラットケーブルの強度を増すようにしたものが提案されている（例えば、特許文献２参照）。
【先行技術文献】
【特許文献】
【０００５】
【特許文献１】特開２００７−５１７８６号公報
【特許文献２】特開２００８−７８８５１号公報
【発明の概要】
【発明が解決しようとする課題】
【０００６】
しかしながら、前記した特許文献２のような構成では、湾曲を生じたフラットケーブルの張力と弾性体による湾曲方向に反する付勢力とが拮抗する条件の下でフラットケーブルが湾曲形状をなすため、遊技機の可動演出役物のように狭小空間においてフラットケーブルを湾曲させたり撓ませたりすることは難しいものであった。
【０００７】
本発明は、このような事情に鑑みてなされたものであり、可動体に搭載された電気的機器に接続されたフラットケーブルを、狭小空間において湾曲させたり撓ませたりする必要がある場合でも、フラットケーブルのばたつきを防止すると共にフラットケーブルにおける電気的機器の接続部分へのストレスを軽減し、また、フラットケーブルに繰り返し曲げ応力が加えられても疲労断線を起こすことがないようにフラットケーブルを押える構成を設けた遊技機を提供することを目的とする。
【課題を解決するための手段】
【０００８】
かかる課題を解決するために、本発明の請求項１に記載の発明は、遊技の演出に用いられ、遊技機本体上において少なくとも一軸方向に往復動駆動される、電気的機器を搭載した可動体と、前記遊技機本体において、往復動する前記可動体と相対移動する部位に配設され、前記電気的機器を駆動するドライバと、前記電気的機器に一端が接続されると共に他端が前記ドライバに接続され、該ドライバから前記電気的機器へ制御信号及び／又は電源の供給を行うフラットケーブルと、前記可動体に設けられ、前記フラットケーブルの途中部分が挿通されるケーブル押え部と、該ケーブル押え部を構成し、前記フラットケーブルの板面に臨むように配置されており、前記可動体が往復動する際に前記フラットケーブルが押し付けられると弾性変形する弾性部材と、を有する遊技機としたことを特徴とする。
【０００９】
また、本発明の請求項２に記載の発明は、請求項１に記載の構成に加え、前記弾性部材は片持ちの弾性片からなり、かつ、前記弾性部材は、先端部が向き合うように配置された一対を備えていることを特徴とする。
【００１０】
また、本発明の請求項３に記載の発明は、請求項１又は２に記載の構成に加え、前記ケーブル押え部は、該ケーブル押え部における前記フラットケーブルの挿通方向が、前記電気的機器から前記ケーブル押え部へと向かう前記フラットケーブルの延在方向と異なるように構成され、前記フラットケーブルは前記ケーブル押え部の挿通前後の部分で湾曲形状をなしており、前記可動体には、前記フラットケーブルの前記湾曲の内側に位置すると共に、前記フラットケーブルにおいて前記電気的機器から前記ケーブル押え部に至る前の部分の板面に臨むようにして、第２の弾性部材が設けられていることを特徴とする。
【発明の効果】
【００１１】
請求項１に係る発明によれば、遊技機において、フラットケーブルの一端が接続された電気的機器を搭載した可動体を有しており、その可動体にフラットケーブルの途中部分が挿通されるケーブル押え部が設けられ、そのケーブル押え部に、フラットケーブルの板面に臨んで可動体が往復動する際にフラットケーブルが押し付けられると弾性変形する弾性部材を有するため、可動体の往復動に応じて動きが生じるフラットケーブルの途中部分を弾性的に押えることができる。
【００１２】
このようにフラットケーブルを弾性的に押えることで、フラットケーブルに引張り方向の力が掛かってケーブル押え部周辺のフラットケーブルに曲げ応力が集中するようなときでも、弾性部材の弾性力でその力を分散することができ、非弾性的に固定する場合と異なり、ケーブル押え部周辺に曲げ応力が過大に掛かることなくフラットケーブルを押えることができる。また、ケーブルに沿わせて配置する薄板のような配置に広い領域を必要とするものを用いずに狭い範囲でも配置可能な種類の弾性部材を用いることで、狭小空間でもケーブル押え部周辺に曲げ応力が過大に掛かることなくフラットケーブルを湾曲させたり撓ませたりすることが可能となる。
【００１３】
従って、フラットケーブルを狭小空間において湾曲させたり撓ませたりする必要がある遊技機においても、電気的機器に接続されたフラットケーブルがばたついたり電気的機器の接続部分へストレスが掛かったりすることがなく、かつ、フラットケーブルに繰り返し曲げ応力が加えられても疲労断線を起こすことがないように、フラットケーブルを押えることができる。
【００１４】
請求項２に係る発明によれば、弾性部材は片持ちの弾性片からなり、かつ、弾性部材は、先端部が向き合うように配置された一対を備えているため、一対の弾性片でフラットケーブルを弾性的に押えることができ、１つの弾性片で押える場合よりもねじれや偏りのない安定した状態でフラットケーブルを弾性的に押えることができる。
【００１５】
請求項３に係る発明によれば、ケーブル押え部は、そのケーブル押え部におけるフラットケーブルの挿通方向が、電気的機器からケーブル押え部へと向かうフラットケーブルの延在方向と異なるように構成され、フラットケーブルはケーブル押え部の挿通前後の部分で湾曲形状をなしており、可動体には、フラットケーブルの湾曲の内側に位置すると共に、フラットケーブルにおいて電気的機器からケーブル押え部に至る前の部分の板面に臨むようにして、第２の弾性部材が設けられているため、フラットケーブルを湾曲形状にした上で、異なる２つの箇所で異なる２つの方向に弾性的に押えることができ、これにより、フラットケーブルに強い力が掛かったときでも、その力をより確実に分散させるようにフラットケーブルを押えることができる。また、フラットケーブルを異なる２つの箇所で異なる２つの方向に弾性的に押えることで、フラットケーブルのばたつきをより効果的に防止することができる。
【図面の簡単な説明】
【００１６】
【図１】本発明の実施の形態における遊技機を表面側からみた斜視図である。
【図２】同遊技機を背面側からみた斜視図である。
【図３】同遊技機の遊技盤の正面図である。
【図４】同遊技機の可動演出手段及びフラットケーブルの簡略裏面図である。
【図５】同遊技機のケーブル押え部の正面図である。
【図６】同遊技機のケーブル押え部の斜視図である。
【図７】同遊技機のフラットケーブルの様子を示す簡略断面図である。
【図８】同遊技機のフラットケーブルの様子を示す簡略断面図である。
【発明を実施するための形態】
【００１７】
以下、本発明の実施の形態における遊技機について図面を参照しながら説明する。図１は、本発明の実施の形態における遊技機を表面側からみた斜視図であり、図２は、同遊技機を背面側からみた斜視図である。
【００１８】
本発明の実施の形態における遊技機１０は、図１に示すように、パチンコ遊技機として構成されており、その遊技機本体１０ａとして、外枠１１、前枠１２、窓枠１３及び当該窓枠１３に覆われた遊技盤３０（後述）などを備えている。また、遊技機１０の背面には、図２に示すように、液晶ディスプレイ型の演出表示装置４１（後述）などの表示制御を行う表示サブ基板２１、各種遊技音の出力制御を行う音サブ基板２２、入賞時における遊技機１０の動作等を含む遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１９】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００２０】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００２１】
窓枠１３は前枠１２の前面に装着されている。この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００２２】
上述の遊技盤３０は、前枠１２の後面に装着されている。以下、この遊技盤３０及び遊技盤３０に備えられる各構成部材について図３を用いて説明する。図３は、本発明の実施の形態における遊技盤の正面図である。この遊技盤３０は、上述のように前枠１２の後面に装着されており、窓枠１３の透明板１７ａに前方から覆われている。遊技板３１は、遊技盤３０の有する各構成部材を固定するための板である。また、遊技盤３０における遊技機１０の裏面側には、往復動する可動演出役物７０（後述）と相対移動する位置に、種々の機構部材を固定する裏機構板３３（図７及び図８に図示）が配設されている。ガイドレール３２は、この遊技板３１の前面に固定されて、この遊技板３１上に、パチンコ球の発射通路３１ａと遊技領域３１ｂとを形成する。遊技領域３１ｂには複数の障害釘（障害部材）３９が打ち込まれている。上述の打球槌が弾いたパチンコ球は、発射通路３１ａを通して遊技領域３１ｂ内に放出される。そして、遊技領域３１ｂ内に放出されたパチンコ球は障害釘３９に当りながら遊技領域３１ｂ内を落下する。
【００２３】
遊技盤３０のほぼ中央部には、センター役物と呼ばれるカラー液晶ディスプレイ等を用いた演出表示装置４１が設けられている。この演出表示装置４１は、遊技者に相対する位置に広い面積の表示画面４１ａを有している。また、演出表示装置４１の例えば右上方から右側方にかけてと、左側方とに、それぞれ固定演出部材４３，４４が設置され、演出表示装置４１の直ぐ下方に可動演出役物（可動体）７０が設置されている。可動演出役物７０は、遊技機１０の演出制御に応じて可動するようになっており、図示しないアクチュエータ（ソレノイド、モータ等）に駆動されて、遊技機本体１０ａ上において少なくとも一軸方向（本実施の形態では遊技機の上下方向）Ａに往復動するようになっている。なお、本実施の形態の可動演出役物７０には、複数のＬＥＤ等からなる装飾ランプ（図示省略）や開閉駆動可能な蓋部材７２等の電気的機器が搭載されている。
【００２４】
また、遊技領域３１ｂ内において、演出表示装置４１及び可動演出役物７０の下方には始動入賞口４８が配置されている。この始動入賞口４８は、上方に開口するポケット状に形成されており、開閉可能な一対の開閉自在な可動片４８ａを備えている。始動入賞口４８は、可動片４８ａが閉塞されている時には開口面積が小さくなってパチンコ球が入賞し難くなり、可動片４８ａが開放されている時には開口面積が大きくなってパチンコ球が入賞し易くなる。
【００２５】
また、始動入賞口４８の下方には、下大入賞口５１が配置されている。この下大入賞口５１は図示しないアクチュエータの作動により開閉する開閉扉５１ａを備えており、この開閉扉５１ａは、遊技状態が所定の大当り遊技状態になると開口し、その際には下大入賞口５１が上方に向かってポケット状に幅広く開口し、多数のパチンコ球が同時かつ連続的に下大入賞口５１に入賞可能となる。
【００２６】
さらに、演出表示装置４１の例えば左上方付近には、同じくアクチュエータにより開閉する上大入賞口５２が配設されている。上大入賞口５２の左上部近傍には、遊技盤３０に直交する回動軸を支点にして開閉可動片６０が回動可能に軸支されている。この開閉可動片６０が閉塞位置にある時には、上大入賞口５２はパチンコ球が入賞不可能な閉状態となる。また、開閉可動片６０が開放位置にある時には、上大入賞口５２はパチンコ球が入賞可能な開状態となる。開閉可動片６０は、遊技状態が、下大入賞口５１を開口させるものとは別の大当り遊技状態になると、開状態と閉状態を所定間隔で複数回繰り返すように変動し、これにより上大入賞口５２にパチンコ球が入賞可能な状態となる。
【００２７】
なお、遊技盤３０の遊技領域３１ｂ内には、先述の始動入賞口４８、下大入賞口５１、上大入賞口５２の他に、図示しない複数の一般入賞口が設置されている。
【００２８】
図４〜図８に示すように、本実施の形態の可動演出役物７０の裏面には、平らな略帯状のフラットケーブル８０が接続されており、該フラットケーブル８０は、可動演出役物７０が一軸方向Ａの可動範囲を往復動しても追従可能な長さを有している。そして、当該フラットケーブル８０を介して、可動演出役物７０に搭載された電気的機器に、ドライバ９０から電源を供給したり制御信号を送信したりして、電気的機器を駆動するようになっている。なお、ドライバ９０は、遊技機本体１０ａの遊技盤３０において移動しないように固定された裏機構板３３に配設されており、これにより、前記したように可動演出役物７０が往復動すると、可動演出役物７０と裏機構板３３に配設されたドライバ９０とが、相対的に移動する構成となっている。
【００２９】
また、本実施の形態の可動演出役物７０では、フラットケーブル８０を介して可動演出役物７０に送信される制御信号で、可動演出役物７０に電気的機器として複数配設されたＬＥＤ等の装飾ランプ（図示省略）の点灯制御や、可動演出役物７０の上部に電気的機器として配設された蓋部材７２を遊技演出に応じて開閉するアクチュエータ（図示省略）の駆動制御を行うようになっているが、可動演出役物７０の一軸方向Ａへの往復動については、可動演出役物７０の外部に配設された図示しないアクチュエータによって駆動されるようになっている。
【００３０】
以下、図４〜図８を参照して、可動演出役物７０の裏面構造とフラットケーブル８０及びその関係について詳述する。図４は、本発明の実施の形態における遊技機の可動演出手段及びフラットケーブルの簡略裏面図であり、図５は、同遊技機のケーブル押え部の正面図であり、図６は、同遊技機のケーブル押え部の斜視図であり、図７及び図８は、同遊技機のフラットケーブルの様子を示す簡略断面図である。
【００３１】
本実施の形態の可動演出役物７０の裏面には、フラットケーブル８０を電気的機器に接続するための、例えば長細形状のメス型コネクタからなる接続部７１が配設されている。この接続部７１は、後述するフラットケーブル８０の一端８１の接続端部８２の幅方向Ｂに対応する長手方向が一軸方向Ａと略直交する方向（本実施の形態では遊技機の左右方向Ｂ）となるように配置されている。また、本実施の形態のフラットケーブル８０の長さ方向の一端８１には、前記した可動演出役物７０の電気的機器の接続部７１にフラットケーブル８０を接続するための、例えば長細形状のオス型コネクタからなる接続端部８２が形成されている。そして、フラットケーブル８０の一端８１の接続端部８２が、可動演出役物７０の電気的機器の接続部７１に、嵌合等により接続されている。
【００３２】
また、例えば遊技盤３０の裏機構板３３には、可動演出役物７０を制御する制御基板等からなるドライバ９０が配設されており、該ドライバ９０には、例えば前記した可動演出役物７０のメス型コネクタからなる接続部７１と同様の長細形状のメス型コネクタからなる接続部９１が配設されている。また、フラットケーブル８０の長さ方向の他端８３には、前記したドライバ９０の接続部９１にフラットケーブル８０を接続するための、例えば前記した一端８１の接続端部８２と同様の長細形状のオス型コネクタからなる接続端部８４が形成されている。そして、フラットケーブル８０の他端８３の接続端部８４が、ドライバ９０の接続部９１に、嵌合等により接続されている。
【００３３】
さらに、フラットケーブル８０は、一端８１の幅方向と他端８３の幅方向とが略同一方向となり、かつ、一端８１から他端８３にかけて、フラットケーブル８０に湾曲や撓みは生じてもねじれや回転が発生しないように、その板面８５が同じ側を向くように配置されている。
【００３４】
また、図４，図７及び図８に示すように、この可動演出役物７０には、フラットケーブル８０の途中部分が挿通されるケーブル押え部１００を備えている。また、ケーブル押え部１００には、フラットケーブル８０の板面８５の一側に臨むように配置され、可動演出役物７０が往復動する際にフラットケーブル８０が押し付けられると弾性変形する弾性部材を有している。
【００３５】
本実施の形態のケーブル押え部１００は、図５及び図６に示すように、遊技機１０の裏面側から見て一軸方向Ａを遊技機本体１０ａの上下方向とし、フラットケーブル８０の幅方向Ｂを遊技機本体１０ａの左右方向とした場合に、その上下方向Ａと左右方向Ｂの四辺で前記した弾性部材等を囲む枠体１０６を有する１つのプラスチック部材で構成されている。そして、ケーブル押え部１００は、弾性部材としての２つの弾性片１０１，１０２、対向面部材１０４、第２の弾性部材としての第２弾性片１０５等が一体に形成されている。以下、ケーブル押え部１００の各構成について詳述する。
【００３６】
まず、ケーブル押え部１００は、フラットケーブル８０における長さ方向の略同位置で、フラットケーブル８０の幅方向Ｂの両端から略同距離の２箇所をそれぞれ、一軸方向Ａに対して略平行かつ可動演出役物７０の接続部７１から離れる方向（本実施の形態では遊技機本体１０ａの下方向）に、弾性的に押える２つの弾性片１０１，１０２を有しており、これらが弾性部材を構成している。
【００３７】
本実施の形態の弾性部材は、一対の片持ちの弾性片１０１，１０２が枠体１０６の左右両辺１０７，１０８から内方に略垂直に突出して先端部１０１ａ，１０２ａが向き合うように配置されており、例えばフラットケーブル８０の幅を略三等分する位置で、それぞれの弾性片１０１，１０２の先端部１０１ａ，１０２ａが一軸方向Ａの一方側（本実施の形態では遊技機本体１０ａの下方向）に屈曲して、略Ｌ字状に形成されている。これにより、フラットケーブル８０が下方から弾性片１０１，１０２の屈曲した屈曲端部１０１ｃ，１０２ｃに当接して、屈曲端部１０１ｃ，１０２ｃを上方に押した際に、略Ｌ字状の弾性片１０１，１０２が上方にしなって弾性変形することで下方への弾性的な抗力が生じ、フラットケーブル８０を弾性的に押えることができるようになっている。
【００３８】
また、本実施の形態の弾性片１０１，１０２は、その略Ｌ字状に屈曲した屈曲端部１０１ｃ，１０２ｃが、遊技機１０の前後方向Ｃを長手方向とする細長形状となっている。これにより、２つの弾性片１０１，１０２が、フラットケーブル８０をその長さ方向に沿った形の押え面で押えることになり、フラットケーブル８０の中の電線の配線方向と平行な方向に押えることができる。その結果、フラットケーブル８０の中の電線を断線させ難くすることができる。また、本実施の形態では、２つの弾性片１０１，１０２が枠体１０６の左右両辺１０７，１０８から突出しているその基端部１０１ｂ，１０２ｂには、弾性片１０１，１０２の強度を高めるための補強部１０９，１１０が略フランジ状に形成されている。  また、図５〜図８に示すように、ケーブル押え部１００は、一軸方向Ａに対して略垂直かつ可動演出役物７０の接続部７１側（すなわち、本実施の形態における遊技機本体１０ａの上方向）に面し、２つの弾性片１０１，１０２の屈曲端部１０１ｃ，１０２ｃに対向する対向面１０３を有する対向面部材１０４を有している。本実施の形態では、対向面部材１０４は、枠体１０６の下辺（下部）に形成されており、対向面１０３は遊技機本体１０ａの上方向を向いた平面状に形成されている。また、対向面１０３は、２つの弾性片１０１，１０２の屈曲端部１０１ｃ，１０２ｃから、フラットケーブル８０を間において、当該フラットケーブル８０が固定されずに少なくともその長さ方向に自由に移動でき、かつ、フラットケーブル８０を一軸方向Ａの上方に移動させた際には、当該フラットケーブル８０が２つの弾性片１０１，１０２の屈曲端部１０１ｃ，１０２ｃに押し付けられるような距離をもって形成されている。
【００３９】
また、本実施の形態のケーブル押え部１００は、前記したように枠体１０６を有しており、２つの弾性片１０１，１０２が枠体１０６の左右両辺１０７，１０８から内方に略垂直に突出して形成されている。そして、左右両辺１０７，１０８の上部同士が２つの弾性片１０１，１０２の上方で繋がった上辺部１１１を形成して枠体１０６の一部となり、これらが全て一体に形成されている。
【００４０】
２つの弾性片１０１，１０２が左右両辺１０７，１０８から内方に突出するような構成であると、フラットケーブル８０が２つの弾性片１０１，１０２の屈曲端部１０１ｃ，１０２ｃに下方から押さえ付けられた際に、２つの弾性片１０１，１０２には、上方への力と共に左右方向の外側に開く方向の力が掛かる。しかし、前記した上辺部１１１で左右両辺１０７，１０８を繋いでいることにより、２つの弾性片１０１，１０２に下方から左右方向の外側に開く方向の力が掛かっても、その力を抑えることができる。その結果、２つの弾性片１０１，１０２の強度を保ち、ケーブル押え部１００が破損し難くなるように構成することができる。また、ケーブル押え部１００が枠体１０６を含む全て一体化した部材で構成されているため、遊技機１０の組立の際に部材の組み付けを簡単に行うことができるというメリットも生じる。
【００４１】
また、図７及び図８に示すように、フラットケーブル８０は、まず、可動演出役物７０の電気的機器の接続部７１に接続された一端８１の接続端部８２から、一軸方向Ａに対して略平行かつ可動演出役物７０の接続部７１から離れる方向（本実施の形態では、遊技機本体１０ａの上下方向における下方向に向かって略垂直）に延在している。そして、ケーブル押え部１００において、その挿通方向が前記した延在方向とは異なるように（本実施の形態では、遊技機本体１０ａの前後方向Ｃの後ろ方向になるように）、２つの弾性片１０１，１０２と対向面１０３の間をフラットケーブル８０が挿通される。このとき、フラットケーブル８０は、ケーブル押え部１００の２つの弾性片１０１，１０２と対向面１０３の間の挿通前後の部分で略Ｕ字状に湾曲形状をなすようになっている。また、フラットケーブル８０は、図４，図７及び図８に示すように、ドライバ９０の接続部９１に接続端部８４が接続された他端８３を、遊技盤３０の裏機構板３３に対して、固定部材９２で非可動状態に固定している。
【００４２】
そして、フラットケーブル８０の一端８１で２つの弾性片１０１，１０２と対向面１０３の間を通して略Ｕ字状に湾曲させてから他端８３で遊技盤３０の固定部材９２に非可動状態に固定するまでの間のフラットケーブル８０が、可動演出役物７０の往復動（本実施の形態では、遊技機本体１０ａの上下方向への往復動）に応じて、撓みを生じさせたり該撓みを解消させたりするようになっている。
【００４３】
例えば、可動演出役物７０が一軸方向（遊技機本体１０ａの上下方向）Ａの可動範囲のうち、最も上方に位置しているときには、図７に示すように、一端８１の接続端部８２から延在したフラットケーブル８０は、２つの弾性片１０１，１０２と対向面１０３の間を通して小さく略Ｕ字状（略Ｊ字状に近い）に湾曲した後、さらに小さく逆Ｕ字状に湾曲して、他端８３で固定部材９２に非可動状態に固定され、その先の接続端部８４でドライバ９０の接続部９１に接続されるようになっている。この状態では、フラットケーブル８０の湾曲部分が下方向から２つの弾性片１０１，１０２の屈曲端部１０１ｃ，１０２ｃに押し付けられる力が弱く、２つの弾性片１０１，１０２の弾性変形が小さく、撓みの少ない状態となる。
【００４４】
また、可動演出役物７０が一軸方向（遊技機本体１０ａの上下方向）Ａの可動範囲のうち、最も下方に位置しているときには、図８に示すように、接続端部８２から延びたフラットケーブル８０は、２つの弾性片１０１，１０２と対向面１０３の間を通して大きく略Ｕ字状に湾曲した後、さらに大きく逆Ｕ字状に湾曲して、他端８３で固定部材９２に非可動状態に固定され、その先の接続端部８４でドライバ９０の接続部９１に接続されるようになっている。この状態では、フラットケーブル８０が下方向から２つの弾性片１０１，１０２の屈曲端部１０１ｃ，１０２ｃに押し付けられる力が強く、２つの弾性片１０１，１０２の弾性変形が大きく、撓みの大きい状態となる。
【００４５】
また、図４〜図８に示すように、本実施の形態では、ケーブル押え部１００は、フラットケーブル８０の一端８１の接続端部８２からケーブル押え部１００における２つの弾性片１０１，１０２で弾性的に押える位置に至る前の部分で一軸方向（遊技機１０の上下方向）Ａに対して略平行に延びる位置のフラットケーブル８０の板面８５を、２つの弾性片１０１，１０２を有する側（すなわち、湾曲の内側）から一軸方向Ａに対して略垂直かつフラットケーブル８０の幅方向に略垂直の方向（遊技機１０の前後方向Ｃの前側に向かう方向）に弾性的に押える第２の弾性部材としての第２弾性片１０５を有している。
【００４６】
本実施の形態の第２弾性片１０５は、例えば枠体１０６の上辺部１１１の略中央部から遊技機本体１０ａの上下方向Ａにおける下方向に略垂直に突出しており、２つの弾性片１０１，１０２より上方の位置で、遊技機本体１０ａの前後方向Ｃの前側に向かう方向に、先端部１０５ａで略Ｌ字状に屈曲して屈曲端部１０５ｃを形成している。これにより、フラットケーブル８０が遊技機１０の前後方向Ｃの前側から第２弾性片１０５の屈曲端部１０５ｃに当接して第２弾性片１０５を後側に押し、その際に、略Ｌ字状の第２弾性片１０５が後方にしなって弾性変形することで前方への弾性的な抗力が生じ、フラットケーブル８０を弾性的に押えることができるようになっている。
【００４７】
なお、図７及び図８に示すように、本実施の形態では、第２弾性片１０５に対向する対向面を有する対向面部材は特別には設けておらず、可動演出役物７０の接続部７１が配設されている基板７３の背面７３ａが対向面となっている。また、第２弾性片１０５の屈曲端部１０５ｃと基板７３の背面７３ａは、フラットケーブル８０をその間において、当該フラットケーブル８０が固定されずに少なくともその長さ方向に自由に移動でき、かつ、フラットケーブル８０を他端８３に引張る方向に移動させた際には、当該フラットケーブル８０が第２弾性片１０５の屈曲端部１０５ｃに当接するような距離をもって形成されている。
【００４８】
このように、本実施の形態では、フラットケーブル８０を、２つの弾性片１０１，１０２で下方に押えると共に、第２弾性片１０５で前方に押える、というように、略垂直な二方向にフラットケーブル８０を押えている。この結果、フラットケーブル８０が他端８３に引張られて、２つの弾性片１０１，１０２が上方にしなる方向に力が掛かったときに、さらに一端８１の接続端部８２に近いところで、クッションとなる第２弾性片１０５があることで、フラットケーブル８０がより柔軟に弾性的に動くことができ、可動演出役物７０の接続部７１からのフラットケーブル８０の脱落やフラットケーブル８０の疲労断線をより効果的に防止することができる。また、本実施の形態では、第２弾性片１０５が枠体１０６の上辺部１１１から突出しているその基端部１０５ｂには、第２弾性片１０５の強度を高めるための補強部１１２が略フランジ状に形成されている。
【００４９】
以上のように、本実施の形態の遊技機１０によれば、遊技機１０において、フラットケーブル８０の一端８１が接続された電気的機器を搭載した可動演出役物７０を有しており、その可動演出役物７０にフラットケーブル８０の途中部分が挿通されるケーブル押え部１００が設けられ、そのケーブル押え部１００に、フラットケーブル８０の板面８５に臨んで可動演出役物７０が往復動する際にフラットケーブル８０が押し付けられると弾性変形する弾性部材としての弾性片１０１，１０２を有するため、可動演出役物７０の往復動に応じて動きが生じるフラットケーブル８０の途中部分を弾性的に押えることができる。
【００５０】
このようにフラットケーブル８０を弾性的に押えることで、フラットケーブル８０に引張り方向の力が掛かってケーブル押え部１００周辺のフラットケーブル８０に曲げ応力が集中するようなときでも、弾性片１０１，１０２の弾性力でその力を分散することができ、非弾性的に固定する場合と異なり、ケーブル押え部１００周辺に曲げ応力が過大に掛かることなくフラットケーブル８０を押えることができる。また、ケーブルに沿わせて配置する薄板のような配置に広い領域を必要とするものを用いずに狭い範囲でも配置可能な種類の弾性片１０１，１０２を用いることで、狭小空間でもケーブル押え部１００周辺に曲げ応力が過大に掛かることなくフラットケーブル８０を湾曲させたり撓ませたりすることが可能となる。
【００５１】
従って、フラットケーブル８０を狭小空間において湾曲させたり撓ませたりする必要がある遊技機１０においても、電気的機器に接続されたフラットケーブル８０がばたついたり電気的機器の接続部分へストレスが掛かったりすることがなく、かつ、フラットケーブル８０に繰り返し曲げ応力が加えられても疲労断線を起こすことがないように、フラットケーブル８０を押えることができる。
【００５２】
また、本実施の形態の遊技機１０によれば、弾性部材は片持ちの弾性片１０１，１０２からなり、かつ、その弾性部材としての弾性片１０１，１０２は、先端部１０１ａ，１０２ａが向き合うように配置された一対を備えているため、一対の弾性片１０１，１０２でフラットケーブル８０を弾性的に押えることができ、１つの弾性片で押える場合よりもねじれや偏りのない安定した状態でフラットケーブル８０を弾性的に押えることができる。
【００５３】
また、本実施の形態の遊技機１０によれば、ケーブル押え部１００は、そのケーブル押え部１００におけるフラットケーブル８０の挿通方向が、電気的機器からケーブル押え部１００へと向かうフラットケーブル８０の延在方向と異なるように構成され、フラットケーブル８０はケーブル押え部１００の挿通前後の部分で湾曲形状をなしており、可動演出役物７０には、フラットケーブル８０の湾曲の内側に位置すると共に、フラットケーブル８０において電気的機器からケーブル押え部１００に至る前の部分の板面８５に臨むようにして、第２の弾性部材としての第２弾性片１０５が設けられているため、フラットケーブル８０を湾曲形状にした上で、異なる２つの箇所で異なる２つの方向に弾性的に押えることができ、これにより、フラットケーブル８０に強い力が掛かったときでも、その力をより確実に分散させるようにフラットケーブル８０を押えることができる。また、フラットケーブル８０を異なる２つの箇所で異なる２つの方向に弾性的に押えることで、フラットケーブル８０のばたつきをより効果的に防止することができる。
【００５４】
また、本実施の形態の遊技機１０によれば、２つの弾性片１０１，１０２と対向面部材１０４が枠体１０６を有する１つの部材で構成されているため、特に枠体１０６の上部で２つの弾性片１０１，１０２が支持されて強度が増すと共に、遊技機１０の組立の際に部材の組み付けを簡単に行うことができる。
【００５５】
なお、以上説明した各実施の形態は、本発明の理解を容易にするために記載されたものであって、本発明を限定するために記載されたものではない。
【００５６】
例えば、前記した実施の形態では、フラットケーブルを押える弾性部材として、２つの弾性片と第２弾性片の３つを有していたが、これに限るものではなく、１つの弾性片、２つの弾性片又は４つ以上の弾性片でフラットケーブルを押える構成となっていても良い。
【００５７】
また、前記した実施の形態では、フラットケーブルが延びる一軸方向が遊技機の上下方向となっていたが、これに限るものではなく、一軸方向が他の方向（例えば、遊技機の前後方向、左右方向及び上下方向を含めた斜め方向）となっていても本発明は適用可能である。
【００５８】
また、前記した実施の形態では、弾性部材として片持ちの弾性片を用いて説明したが、これに限るものではなく、他の構成の弾性部材を用いても良い。
【符号の説明】
【００５９】
１０…遊技機、１０ａ…遊技機本体、７０…可動演出役物（可動体）、７２…蓋部材（電気的機器）、８０…フラットケーブル、８１…一端、８３…他端、８５…板面、９０…ドライバ、１００…ケーブル押え部、１０１，１０２…弾性片（弾性部材）、１０１ａ，１０２ａ…先端部、１０５…第２弾性片（第２の弾性部材）
【図１】
2010187992.tif 000003
【図２】
2010187992.tif 000004
【図３】
2010187992.tif 000005
【図４】
2010187992.tif 000006
【図５】
2010187992.tif 000007
【図６】
2010187992.tif 000008
【図７】
2010187992.tif 000009
【図８】
2010187992.tif 000010